(57)【要約】【課題】物干竿に干された洗濯物が風に煽られる等して、腕杆が垂直になって下方に摺動してしまう危険を未然に回避すること。【解決手段】支持体１の筐体４の両側の側板１８・１８は、上板１９及び底板２０よりも少し前方に突出し、前端縁には、外止部２１を内方に向かって突設してある。底板２０の前端には係止部７を設け、外止部２１の上端には受止部６を設けてある。カバー体３を側板１８・１８の内面を被覆するように設けてある。カバー体３には阻止部８を設けてある。腕杆２は、基端部を除く周縁に突条部１０を設けてある。突条部１０は、上突条部１０ａと下突条部１０ｂを略半円状の接続突条部１０ｃで接続して構成されている。腕杆２に係合部１２及び係合部１３を設け、上突条部１０ａの基端部に掛合部１１と抜止部１４を設けてある。腕杆２の上突条部１０ａの基端部に当接部１５を設けてある。【選択図】図２
2006075353.tif 000002
【特許請求の範囲】
【請求項１】
前面が開口する筐体を有する支持体と、竿受部を有する腕杆を具備し、支持体に腕杆を回動可能かつ摺動可能に取り付けて、腕杆は、斜め上向きの使用状態及び垂直の収納状態の少なくとも２つの状態に設定することができるようにして成る物干装置において、腕杆の基端部には当接部を設けると共に、筐体の内部には阻止部を設けて成り、腕杆を斜め上向きの使用状態に設定した時、腕杆を上方に移動させた後であれば、腕杆は、その先端が支持体側へ近づく方向への回動が可能であり、腕杆を単にその先端が支持体側へ近づく方向へ回動しようとすると、腕杆の当接部が筐体の阻止部に当接して、腕杆の回動が阻止されることを特徴とする物干装置。
【発明の詳細な説明】
【技術分野】
【０００１】
本発明は、腕杆を、斜め上向きの使用状態及び垂直の収納状態の少なくとも２つの状態に設定することができる物干装置であって、斜め上向きの使用状態で、竿受部に挿架された物干竿の洗濯物が風に煽られる等しても、腕杆は、その先端が支持体側へ近づく方向へ垂直になるまで回動することがなく斜め上向きの使用状態を維持できるよう改良したものである。
【背景技術】
【０００２】
従来より、特願平６−２７０６０２号（特開平８−１０７９９２号）発明のように、腕杆を、斜め上向きと水平の使用状態及び垂直の収納状態の３つの状態に設定することができる物干装置は提案されている。
【特許文献１】特開平８−１０７９９２号公報
【発明の開示】
【発明が解決しようとする課題】
【０００３】
上記従来例においては、腕杆が斜め上向きの使用状態で、竿受部に挿架された物干竿の洗濯物が風に煽られる等して、腕杆をその先端が支持体側へ近づく方向へ回動する力が加わった時、腕杆が垂直になるまで回動し、腕杆が垂直状態になると下方へ摺動が可能な状態となって落下し大変危険であるし、洗濯物が重なってしまったり、床に接触して汚れてしまうという問題がある。本発明は、この問題を解決することを課題としている。
【課題を解決するための手段】
【０００４】
本発明は、上記の課題を解決するための物干装置であり、前面が開口する筐体を有する支持体と、竿受部を有する腕杆を具備し、支持体に腕杆を回動可能かつ摺動可能に取り付けて、腕杆は、斜め上向きの使用状態及び垂直の収納状態の少なくとも２つの状態に設定することができるようにして成る物干装置において、腕杆の基端部には当接部を設けると共に、筐体の内部には阻止部を設けて成り、腕杆を斜め上向きの使用状態に設定した時、腕杆を上方に移動させた後であれば、腕杆は、その先端が支持体側へ近づく方向への回動が可能であり、腕杆を単にその先端が支持体側へ近づく方向へ回動しようとすると、腕杆の当接部が筐体の阻止部に当接して、腕杆の回動が阻止されることを特徴とする物干装置である。
なお、特許請求の範囲に記載した「上方」は、垂直上方及び斜め上方を当然含む意味である。
【発明の効果】
【０００５】
以上のように本発明によれば、物干竿に干された洗濯物が風に煽られる等して腕杆が、その先端が支持体側へ近づく方向へ回動しようとすると、腕杆の当接部が筐体の阻止部に当接して、腕杆はその回動を阻止され、腕杆が垂直になることがなく、落下してしまう危険を未然に回避することができるという効果がある。
【実施例】
【０００６】
図１〜図１３に基づいて本発明の第１の実施例を説明する。
本発明の物干装置は、ベランダの手摺等に固定される支持体１と、支持体１に回動可能かつ摺動可能に取り付けられる腕杆２を有している。
【０００７】
支持体１は、全体を金属で製し、略直方体で、前面と後面が開口している筐体４後部の上下両端に取付片５・５を設けて成る。筐体４の両側の側板１８・１８は、上板１９及び底板２０よりも少し前方に突出し、前端縁には、上下部を除いて、間隔を置いて相対向する一対の外止部２１を内方に向かって突設してある。底板２０の前端は係止部７とし、外止部２１の上端には後方に半円状に突出する一対の受止部６を設けてある。
【０００８】
側板１８・１８間には、２つの対称な半体３ａ・３ｂから成るカバー体３が、上板１９、底板２０、外止部２１及び受止部６のそれぞれ内面を被覆するように設けられている。カバー体３は、合成樹脂で成形され、底板２０の上面の位置に、間隔を置いて相対向し、上方に突出する一対の阻止部８を設けてある。このカバー体３は、半体３ａを筐体４の前方の開口から入れて一方側の側板１８内面にセットし、その後同じように、半体３ｂを筐体４の前方の開口から入れて他方側の側板１８内面にセットして、筐体４内に取り付けられる。
カバー体３が、２つの半体３ａ・３ｂから構成されているのは、上述のように筐体４内に取り付けるためであり、他の取付方法を採用すれば一体にすることもできる。また本実施例では、阻止部８はカバー体３に設けてあるが、筐体の内部に設ければよいもので、本実施例に限定されない。
【０００９】
腕杆２は、複数の竿受部９・・・９を設けると共に、基端部を除く周縁に厚み方向に突出する突条部１０を設けてある。突条部１０は、上突条部１０ａと下突条部１０ｂを略半円状の接続突条部１０ｃで接続して構成されている。
【００１０】
腕杆２には、基端部に、係止部７に選択的に係止される係合部１２及び係合部１３を設け、上突条部１０ａの基端部寄り内側に、受止部６に係止される円弧状の掛合部１１を設けてある。さらに腕杆２には、上突条部１０ａに設けた掛合部１１よりさらに基端部寄り内側に、受止部６に当接して腕杆２が支持体１から抜けるのを防ぐと共に、受止部６に係止されて腕杆２を水平状態に保持する円弧状の抜止部１４を設けてある。
そして、腕杆２の上突条部１０ａの基端部に、腕杆２をその先端が支持体１側へ近づく方向へ回動した時阻止部８に当接する当接部１５を設けてある。
また、腕杆２には、上突条部１０ａの下部にストッパー取付孔１７を設けてあり、そこにストッパー１６を固定できるようになっている。
【００１１】
腕杆２を支持体１に取り付けるには、腕杆２の下突条部１０ｂを筐体４の側板１８・１８の間に下方から挿通して（図８参照）、下突条部１０ｂが、上板１９及び底板２０の前端部と外止部２１との間を移動するよう腕杆２を上方に移動し（図９参照）、接続突条部１０ｃが、上板１９及び底板２０の前端部と外止部２１との間を移動するよう腕杆２を回動し（図１０参照）、さらに、上突条部１０ａが、上板１９及び底板２０の前端部と外止部２１との間を移動するよう腕杆２を上方に移動して、ストッパー取付孔１７を上板１９の上方に位置させ（図１１参照）、そのストッパー取付孔１７にストッパー１６をねじ止め固定すればよい（図１２参照）。
【００１２】
本発明を使用するには、腕杆２が取り付けられた支持体１を、その取付片５・５によってベランダの手摺等に２つ一組として固着して、それぞれの竿受部９・・・９に物干竿を挿架すればよい。
【００１３】
腕杆２を斜め上向きの使用状態に設定するには、腕杆２の基端部略中央部の係合部１３が支持体１の係止部７に係止されると共に、掛合部１１が受止部６に係止されるようにすればよい（図２参照）。
【００１４】
次に、腕杆２を斜め上向きの使用状態から水平の使用状態に設定するには、腕杆２を上方に移動して、係合部１３と係止部７との係止状態及び掛合部１１と受止部６との係止状態を解除し、腕杆２を下方へ回動する。すると、腕杆２の基端部下部の係合部１２が支持体１の係止部７に係止されると共に、抜止部１４が受止部６に係止されて、腕杆２は水平状態に設定される（図４参照）。
逆に、腕杆２を水平の使用状態から斜め上向きの使用状態に設定するには、単に腕杆２を斜め上向きになるまで上方に回動するだけでよい。
【００１５】
腕杆２を斜め上向きの使用状態から垂直の収納状態に設定するには、腕杆２を上方に移動して、係合部１３と係止部７との係止状態及び掛合部１１と受止部６との係止状態を解除し、腕杆２を垂直になるまでその先端が支持体１側へ近づく方向へ回動し、その後下方へ移動する。すると、腕杆２に取り付けたストッパー１６が支持体１の受止部６に当接して腕杆２は垂直の収納状態になる（図１３参照）。
【００１６】
腕杆２が斜め上向きの使用状態の時、竿受部９・９に挿架された物干竿に干された洗濯物が風に煽られる等して、腕杆２が、その先端が支持体１側へ近づく方向へ回動しようとすると、（腕杆２を上方に移動していないため）腕杆２の当接部１５が筐体４の阻止部８に当接すると共に、上突条部１０ａが筐体４の上板１９に被覆されたカバー体３に当接して（図３参照）、腕杆２は、その先端が支持体側へ近づく方向への回動を阻止されるので、腕杆２が垂直になって下方に摺動して収納状態になることはない。
【００１７】
図１４及び図１５に示すものは、本発明の第２の実施例であって、カバー体３の上板１９と底板２０との中間位置に、間隔を置いて相対向する円柱状の阻止部２２を設け、腕杆２の上突条部１０ａの基端部に、腕杆２をその先端が支持体１側へ近づく方向へ回動した時阻止部２２に当接する当接部２３を設けて成るものである。他の構成は第１の実施例と同様である。
【図面の簡単な説明】
【００１８】
図１〜図１３は本発明の第１の実施例を示し、図１４〜図１５は本発明の第２の実施例を示している。
【図１】腕杆が斜め上向きの使用状態を示す正面図である。
【図２】図１の要部拡大断面図である。
【図３】図２の状態から腕杆をその先端が支持体側へ近づく方向へ少し回動した状態の要部拡大断面図である。
【図４】腕杆が水平の使用状態を示す要部拡大断面図である。
【図５】要部の分解斜視図である。
【図６】図５の支持体を断面にした斜視図である。
【図７】図６のカバー体の半体を外した状態の斜視図である。
【図８】腕杆を支持体の下方から挿通する状態を示す要部拡大断面図である。
【図９】図８の状態から腕杆を上方へ移動した状態を示す要部拡大断面図である。
【図１０】図９の状態から腕杆を１８０度回動した状態を示す要部拡大断面図である。
【図１１】図１０の状態から腕杆を上方へ移動した状態を示す要部拡大断面図である。
【図１２】図１１の状態でストッパー取付孔にストッパーを取り付けた状態を示す要部拡大断面図である。
【図１３】腕杆が垂直の収納状態を示す要部拡大断面図である。
【図１４】使用状態の腕杆が斜め上向きの使用状態を示す正面図である。
【図１５】図１４の状態から腕杆をその先端が支持体側へ近づく方向へ少し回動した状態の要部拡大断面図である。
【符号の説明】
【００１９】
１    支持体
２    腕杆
４    筐体
８    阻止部
９    竿受部
１５    当接部
２２    阻止部
２３    当接部
【図１】
2006075353.tif 000003
【図２】
2006075353.tif 000004
【図３】
2006075353.tif 000005
【図４】
2006075353.tif 000006
【図５】
2006075353.tif 000007
【図６】
2006075353.tif 000008
【図７】
2006075353.tif 000009
【図８】
2006075353.tif 000010
【図９】
2006075353.tif 000011
【図１０】
2006075353.tif 000012
【図１１】
2006075353.tif 000013
【図１２】
2006075353.tif 000014
【図１３】
2006075353.tif 000015
【図１４】
2006075353.tif 000016
【図１５】
2006075353.tif 000017